(57)【特許請求の範囲】
【請求項１】
ペットのトイレに敷き詰められる処理材を篩い分けるためのペット用排泄物処理具であって、
受皿を有するスコップ本体と、上記受皿に重合し、当該受皿に対して相対移動可能である可動部材と、を備え、
上記可動部材は、外形形状が円形であるとともに、上記受皿に対して所定の軸線周りに相対回転可能であり、
上記可動部材は部分球形状であり、上記受皿のうち少なくとも上記可動部材と重合する部分は部分球形状であり、
上記受皿には第１の貫通孔が形成され、かつ上記可動部材には第２の貫通孔が形成されており、上記第１および第２の貫通孔が連通する領域によって篩い孔が構成されており、
上記受皿に対する上記可動部材の相対位置を変更することにより、上記篩い孔のサイズが変更可能である、ことを特徴とする、ペット用排泄物処理具。
【請求項２】
上記第１の貫通孔は、一定方向に長状となるように複数配列されており、
上記第２の貫通孔は、所定方向に長状となるように複数配列されている、請求項１に記載のペット用排泄物処理具。
【請求項３】
上記スコップ本体は、上記受皿に繋がる把持部を有し、
上記把持部から上記受皿に向かう方向は、上記第１の貫通孔の長手方向に対してほぼ直角である、請求項２に記載のペット用排泄物処理具。
【請求項４】
上記可動部材が上記受皿から離脱するのを防止する離脱防止手段を備える、請求項１ないし３のいずれかに記載のペット用排泄物処理具。
【請求項５】
上記受皿に対して上記可動部材が所定の相対位置をとるときに、節度感をもって上記可動部材の移動を抑制する、移動抑制手段を備える、請求項１ないし４のいずれかに記載のペット用排泄物処理具。
【請求項６】
上記移動抑制手段は、上記受皿および上記可動部材のうちの一方に設けられた凹部と、上記受皿および上記可動部材のうちの他方に設けられ、上記凹部に嵌合する凸部と、を含む、請求項５に記載のペット用排泄物処理具。
【発明の詳細な説明】
【技術分野】
【０００１】
本発明は、ペットの排泄物が付着した処理材とそれ以外の余分な処理材とを分離して廃棄するためのペット用排泄物処理具に関する。
【背景技術】
【０００２】
室内において飼育される猫などのペット用トイレは、上方が開放した容器からなっている。この容器の底面には、たとえば、猫砂と呼称される粒状物質の処理材が敷き詰められている。処理材として、ペットの排泄物である尿や糞の水分を吸収して凝集する（固まる）物質で作られているものや、ペットの尿を吸収せずに通過させ、ペットの糞に付着するものなどがある。
【０００３】
ペット用トイレを掃除するときには、ペットの排泄物をペットの排泄物処理具（たとえば、特許文献１を参照）であるスコップで掬い取り、スコップを振り動かして、排泄物に付着した、あるいは排泄物の吸収により凝集した、以外の汚れていない余分な処理材をスコップの受皿に形成された篩い孔から篩い落とし、スコップの中に残った、排泄物に付着し、あるいは凝集した処理材だけを廃棄している。そして、廃棄によりペット用トイレから処理材が減少した分だけ、新たに補充している。特許文献１に記載されたペット用排泄物処理具においては、受皿の偏った領域にのみ篩い孔が形成されている。このため、受皿に掬い取った処理材のうち、排泄物に付着していない余分な処理材を篩い孔から篩い落とし、その後、排泄物に付着した処理材を篩い孔が形成されていない領域に速やかに移動させ、排泄物とともに使用済みの処理材を廃棄することができる。
【０００４】
ところで、ペットトイレ用の処理材は、上述のような性質の違い、あるいはメーカーが相違すること等により、粒の大きさや形状が商品ごとに異なっている。ユーザーは、販売されている様々な商品（処理材）の中から好きなものを選択して使用するが、他の処理材も試してみたいといったニーズがある。使用する処理材を変更する場合、特許文献１に記載されたペット用排泄物処理具では、変更の都度、変更後の処理材に応じたペット用排泄物処理具が別途必要となってしまう。
【先行技術文献】
【特許文献】
【０００５】
【特許文献１】特開２００６−１４１２９３号公報
【発明の概要】
【発明が解決しようとする課題】
【０００６】
本発明は、このような事情のもとで考え出されたものであって、ペットのトイレに敷き詰められる処理材を篩い分けるためのペット用排泄物処理具において、サイズの異なる複数種の処理材について兼用可能なペット用排泄物処理具を提供することを課題とする。
【課題を解決するための手段】
【０００７】
上記の課題を解決するため、本発明では、次の技術的手段を講じている。
【０００８】
本発明によって提供されるペット用排泄物処理具は、ペットのトイレに敷き詰められる処理材を篩い分けるためのペット用排泄物処理具であって、受皿を有するスコップ本体と、上記受皿に重合し、当該受皿に対して相対移動可能である可動部材と、を備え、上記受皿には第１の貫通孔が形成され、かつ上記可動部材には第２の貫通孔が形成されており、上記第１および第２の貫通孔が連通する領域によって篩い孔が構成されており、上記受皿に対する上記可動部材の相対位置を変更することにより、上記篩い孔のサイズが変更可能である、ことを特徴としている。
【０００９】
好ましい実施の形態においては、上記可動部材は、外形形状が円形であるとともに、上記受皿に対して所定の軸線周りに相対回転可能である。
【００１０】
好ましい実施の形態においては、上記可動部材は部分球形状であり、上記受皿のうち少なくとも上記可動部材と重合する部分は部分球形状である。
【００１１】
好ましい実施の形態においては、上記第１の貫通孔は、一定方向に長状となるように複数配列されており、上記第２の貫通孔は、所定方向に長状となるように複数配列されている。
【００１２】
好ましい実施の形態においては、上記スコップ本体は、上記受皿に繋がる把持部を有し、上記把持部から上記受皿に向かう方向は、上記第１の貫通孔の長手方向に対してほぼ直角である。
【００１３】
好ましい実施の形態においては、上記可動部材が上記受皿から離脱するのを防止する離脱防止手段を備える。
【００１４】
好ましい実施の形態においては、上記受皿に対して上記可動部材が所定の相対位置をとるときに、節度感をもって上記可動部材の移動を抑制する、移動抑制手段を備える。
【００１５】
好ましい実施の形態においては、上記移動抑制手段は、上記受皿および上記可動部材のうちの一方に設けられた凹部と、上記受皿および上記可動部材のうちの他方に設けられ、上記凹部に嵌合する凸部と、を含む。
【００１６】
本発明のその他の特徴および利点は、添付図面を参照して以下に行う詳細な説明によって、より明らかとなろう。
【図面の簡単な説明】
【００１７】
【図１】本発明に係るペット用排泄物処理具の一例を示す全体斜視図である。
【図２】図１に示すペット用排泄物処理具の平面図である。
【図３】図２のＩＩＩ−ＩＩＩ線に沿う断面図である。
【図４】スコップ本体の平面図である。
【図５】図４のＶ−Ｖ線に沿う断面図である。
【図６】可動部材の平面図である。
【図７】可動部材の側面図である。
【図８】図６のＶＩＩＩ−ＶＩＩＩ線に沿う断面図である。
【図９】図１に示すペット用排泄物処理具の使用状態を説明するための要部平面図である。
【図１０】図１に示すペット用排泄物処理具の使用状態を説明するための要部平面図である。
【図１１】図１に示すペット用排泄物処理具の使用状態を説明するための要部平面図である。
【図１２】図１に示すペット用排泄物処理具の使用状態を説明するための要部平面図である。
【図１３】本発明に係るペット用排泄物処理具の他の例を示す平面図である。
【図１４】図１３のＸＩＶ−ＸＩＶ線に沿う断面図である。
【図１５】図１３のＸＶ−ＸＶ線に沿う断面図である。
【図１６】スコップ本体の平面図である。
【図１７】可動部材の平面図である。
【図１８】図１３に示すペット用排泄物処理具の使用状態を説明するための要部平面図である。
【発明を実施するための形態】
【００１８】
以下、本発明の好ましい実施の形態について、図面を参照して具体的に説明する。
【００１９】
図１〜図３は、本発明に係るペット用排泄物処理具の一例を示している。本実施形態のペット用排泄物処理具Ａ１は、ペットのトイレに敷き詰められる処理材を、排泄物に付着したものからそれ以外のものを篩い分けるためのものであり、スコップ本体１および可動部材２を備えて構成される。
【００２０】
スコップ本体１は、把持部１１および受皿１２を有する。把持部１１は、ユーザーが手で握るための部分であり、長状である。把持部１１は、その横断面形状は上面側が凸状となるように湾曲する板状である。把持部１１の基端部１１１は、平板状である。当該基端部１１１は、把持部１１が延びる方向に対してほぼ垂直な面内方向に沿っている。このような構成によれば、保管時に基端部１１１を底面としてスコップ本体１（ペット用排泄物処理具Ａ１）を自立させることができ、保管場所の省スペース化を図ることができる。
【００２１】
受皿１２は、把持部１１の先端に繋がっており、掬い取った処理材を収容する部分である。受皿１２は、上方が開口しており、上方に向かうほど拡がる形状とされている。受皿１２の下部には、可動部材２が重合し、当該可動部材２を支持するための部分（支持部１２１）が設けられている。支持部１２１は、部分球形状である。支持部１２１の周縁には段部１２２が形成されており、支持部１２１は、段部１２２を境界として周囲よりも凹んでいる。
【００２２】
支持部１２１の中央には、厚さ方向に貫通する軸孔１２４が形成されている。この軸孔１２４には、後述する可動部材２の回転軸２１が嵌挿される。支持部に１２１には、複数の貫通孔１２３が形成されている。図４に表れているように、本実施形態において、これら貫通孔１２３は、一定方向に延びる長状とされており、所定間隔を隔てて配列されている。また、貫通孔１２３の長手方向（図中の方向ｙ）は、把持部１１から受皿１２に向かう方向（図中の方向ｘ）に対してほぼ直角である。なお、図４において、貫通孔１２３の形成範囲にハッチングを施している。
【００２３】
支持部１２１の所定部位には、上方に突出する凸部１２５が設けられている。凸部１２５の意義については後述する。
【００２４】
受皿１２の先端寄りには、複数の孔１２７が形成されている。これら孔１２７は、デザイン上の観点から設けられたものであり、そのサイズは比較的に小さい。
【００２５】
可動部材２は、受皿１２（支持部１２１）に重合しており、当該受皿１２に対して相対移動する部材である。本実施形態において、図６〜図８に表れているように、可動部材２は、外形形状が円形であり、全体として部分球形状をなし、かつ略均一な厚みを有する板状である。可動部材２は、回転軸２１、複数の貫通孔２２、および複数の凹部２３を有する。
【００２６】
回転軸２１は、可動部材２の中央下面から突出しており、受皿１２の軸孔１２４に嵌挿される部分である。回転軸２１の先端には径方向外方に突出する鍔状の係止片２１１が設けられている。係止片２１１の外径は軸孔１２４の内径より大であり、この係止片２１１を軸孔１２４に圧入することにより、係止片２１１は受皿１２（支持部１２１）の下面に係止される。このようにして回転軸２１が軸孔１２４に嵌挿された状態において、可動部材２は受皿１２（支持部１２１）に重合しており、回転軸２１の中心軸線Ｏ１周りに回転する。また、係止片２１１が受皿１２（支持部１２１）の下面に係止されることにより、回転軸２１の軸孔１２４からの抜け出しは防止され、その結果、可動部材２の受皿１２からの離脱が防止される。係止片２１１による係止構造は、本発明でいう離脱防止手段を担う。
【００２７】
複数の貫通孔２２は、所定方向に延びる長状とされており、所定間隔を隔てて配列されている。本実施形態において、これら貫通孔２２は、図４、図６を参照すると理解できるように、受皿１２に設けられた複数の貫通孔１２３と平面視における形状、サイズがほぼ同一である。なお、図６において、貫通孔２２の形成範囲にハッチングを施している。
【００２８】
凹部２３は、可動部材２の下面側の周縁付近に設けられている。凹部２３は複数（本実施形態では８個）設けられており、可動部材２の周方向に沿って均等に配されている。そして、受皿１２に対して可動部材２が所定の相対位置にあるとき、受皿１２の凸部１２５が可動部材２の凹部２３に嵌合する。凹部２３に凸部１２５が嵌合するとき、可動部材２の回転が抑制されており、所定の回転操作力を作用させることで可動部材２が回転する。このように、凹部２３に凸部１２５が嵌合するとき、節度感をもって可動部材２の回転が抑制される。本実施形態では、４５°回転させる毎に、凹部２３に凸部１２５が嵌合し、可動部材２の回転が抑制される。凹部２３および凸部１２５は、本発明でいう移動抑制手段を担う。
【００２９】
図２に表れているように、本実施形態のペット用排泄物処理具Ａ１においては、受皿１２における複数の貫通孔１２３、および可動部材２における複数の貫通孔２２が連通する領域によって、複数の篩い孔３が構成されている。そして、図２、図９〜図１２を参照して以下に説明するように、受皿１２に対する可動部材２の相対位置を変更することにより、篩い孔３のサイズが変更可能となっている。なお、図２、図９〜図１２において、篩い孔３の領域にはハッチングを施している。
【００３０】
図２に示した状態において、可動部材２の貫通孔２２の長手方向は、受皿１２の貫通孔１２３の長手方向（図中方向ｙ）に一致しており、篩い孔３は、方向ｙに延びる長状である。その一方、可動部材２のうち貫通孔２２の短手方向寸法を規定する、隣接する貫通孔２２の間の枠部分２４が、受皿１２の貫通孔１２３の短手方向（図中方向ｘ）における中央を横切って長手方向（図中方向ｙ）に沿って延びる。これにより、篩い孔３の短手方向（図中方向ｘ）の寸法は、貫通孔１２３，２２それぞれの短手方向の寸法よりも小である。なお、図２に示した状態において、受皿１２の凸部１２５が可動部材２の凹部２３に嵌合しており、可動部材２の回転が抑制される。
【００３１】
図９は、図２に示した状態から可動部材２を時計回りに９０°回転させた状態を示している。図９に示した状態において、貫通孔２２の長手方向（図中方向ｘ）は貫通孔１２３の長手方向（図中方向ｙ）に対してほぼ直角である。そして、隣接する貫通孔２２間の枠部分２４が、貫通孔１２３を図中方向ｘに沿って横切っている。これにより、篩い孔３については、図中方向ｘにおける寸法は貫通孔１２３の短手方向の寸法と同等であるが、図中方向ｙにおける寸法は、貫通孔１２３の長手方向の寸法よりも小さい。そして、篩い孔３の多くは、貫通孔１２３の短手方向寸法を一辺とするほぼ正方形状である。なお、図９に示した状態において、受皿１２の凸部１２５が可動部材２の凹部２３に嵌合しており、可動部材２の回転が抑制される。
【００３２】
図１０は、図９に示した状態から可動部材２をさらに時計回りに４５°回転させた状態を示している。図１０に示した状態において、貫通孔２２の長手方向は貫通孔１２３の長手方向（図中方向ｙ）に対してほぼ４５°の角度をなす。そして、隣接する貫通孔２２間の枠部分２４が、貫通孔１２３を斜めに横切っている。これにより、複数の篩い孔３は様々なサイズのものが混在する。これら篩い孔３のうちサイズの大きいものについては、ほぼ菱形状となっている。当該菱形状の篩い孔３において長い方の対角線の寸法は、図９に示した正方形状の篩い孔３の一辺の寸法よりも大きい。なお、図１０に示した状態において、受皿１２の凸部１２５が可動部材２の凹部２３に嵌合しており、可動部材２の回転が抑制される。
【００３３】
図１１は、図１０に示した状態から可動部材２を時計回りにさらに４５°回転（図９に示した状態からは時計回りに９０°回転）させた状態を示している。図１１に示した状態において、貫通孔２２の長手方向は貫通孔１２３の長手方向（図中方向ｙ）に一致しており、篩い孔３は、方向ｙに延びる長状である。そして、貫通孔２２は貫通孔１２３とほぼ完全に重なる状態にあり、篩い孔３は、貫通孔１２３，２２それぞれと同等のサイズを有する。なお、図１１に示した状態において、受皿１２の凸部１２５が可動部材２の凹部２３に嵌合しており、可動部材２の回転が抑制される。
【００３４】
図１２は、図１１に示した状態から可動部材２を時計回りにさらに９０°回転させた状態を示している。図１２に示した状態において、貫通孔２２の長手方向（図中方向ｘ）は貫通孔１２３の長手方向（図中方向ｙ）に対してほぼ直角である。そして、隣接する貫通孔２２間の枠部分２４が、貫通孔１２３を図中方向ｘに沿って横切っている。これにより、篩い孔３については、図中方向ｘにおける寸法は貫通孔１２３の短手方向の寸法と同等であるが、図中方向ｙにおける寸法は、貫通孔１２３の長手方向の寸法よりも小さい。そして、篩い孔３の多くは、貫通孔１２３の短手方向寸法を一辺とするほぼ正方形状である。なお、図１２に示した状態において、受皿１２の凸部１２５が可動部材２の凹部２３に嵌合しており、可動部材２の回転が抑制される。
【００３５】
次に、ペット用排泄物処理具Ａ１の作用について説明する。
【００３６】
本実施形態のペット用排泄物処理具Ａ１は、たとえば猫用のトイレに敷き詰められ猫砂について、排泄物が付着したものとそれ以外のものとに篩い分けるのに使用される。たとえば、猫砂として水分を吸収すると凝集する物質からなるものを使用している場合、ペットの尿等の水分が付着すると猫砂が凝集して、猫砂の粒よりも大きな塊（以下、「塊状体」という。）となる。ペットがトイレで排泄した後に、ペット用排泄物処理具Ａ１を用いて塊状体を含む猫砂を掬い取り、スコップ本体１を振り動かすことにより、塊状体以外の猫砂を篩い孔３から篩い落とし、再利用することができる。
【００３７】
ペット用排泄物処理具Ａ１においては、受皿１２における複数の貫通孔１２３、および可動部材２における複数の貫通孔２２が連通する領域によって、複数の篩い孔３が構成されている。そして、図２、図９〜図１２を参照して上述したように、受皿１２に対する可動部材２の相対位置を変更することにより、篩い孔３のサイズが変更可能である。このような構成によれば、異なる猫砂、たとえば使用する猫砂の種類を変更する場合において、変更後の猫砂のサイズに応じた篩い孔３のサイズとなるように可動部材２の相対位置を変更すれば、変更後の猫砂についても篩い分けることができる。したがって、ペット用排泄物処理具Ａ１によれば、サイズの異なる複数種の猫砂（処理材）について兼用することができる。
【００３８】
可動部材２は受皿１２に対して相対回転可能である。また、受皿１２に設けられた貫通孔１２３は一定方向に長状となるように複数配列されており、可動部材２に設けられた貫通孔２２は所定方向に長状となるように複数配列されている。このような構成によれば、上記の図２、図９〜図１２を参照した説明からも理解されるように、篩い孔３の形状および大きさを種々変更することが可能である。
【００３９】
猫砂としては、たとえば円柱棒状のものや球状のものがあり、その大きさも様々である。球状の猫砂の場合、たとえば、直径が比較的に大きいものについては、図９、図１２に示したように篩い孔３が正方形状となる状態で使用し、直径が比較的に小さいものについては、図２に示したように篩い孔３が相対的に幅狭の長孔となる状態で使用することができる。また、円柱棒状の猫砂の場合、直径が比較的に大きいものについては、図１１に示したように篩い孔３が相対的に幅広の長孔となる状態や図１０に示したように篩い孔３が比較的に大きな菱形状を含む状態で使用し、直径が比較的に小さいものについては、図２に示したように篩い孔３が相対的に幅狭の長孔となる状態で使用することができる。さらに、直径が比較的に大きい円柱棒状の猫砂であっても、たとえばその長さの長短に応じて、図１１に示したように篩い孔３が相対的に幅広の長孔となる状態と、図１０に示したように篩い孔３が比較的に大きな菱形状を含む状態と、を使い分けることができる。このように篩い孔３の形状および大きさを種々変更可能な本実施形態の構成によれば、粒の大きさや形状が異なる種々の猫砂を篩い分けることが可能である。
【００４０】
貫通孔１２３の長手方向（図２の方向ｙ）は、把持部１１から受皿１２に向かう方向（同図の方向ｘ）に対してほぼ直角である。スコップ本体１を振り動かす際、把持部１１から受皿１２に向かう方向（図中方向ｘ）に対して横方向（図中方向ｙ）に振り易い。上記構成によれば、スコップ本体１を振り動かす方向と貫通孔１２３の長手方向とがほぼ一致するので、貫通孔１２３により構成される長状の篩い孔３から猫砂が篩い落とされ易くなり、使い勝手がよい。
【００４１】
受皿１２に対して可動部材２が所定の相対位置をとるとき、凹部２３への凸部１２５の嵌合により、可動部材２の回転が抑制される。このような構成によれば、可動部材２が所定の相対位置をとるときに設定された篩い孔３のサイズが維持される。したがって、ペット用排泄物処理具Ａ１の使用時において、受皿１２に対する可動部材２の意図しない相対移動により篩い孔３のサイズが変わるといった不都合を回避することができる。
【００４２】
図１３〜図１５は、本発明に係るペット用排泄物処理具の他の例を示している。なお、図１３以降の図においては、上記実施形態と同一または類似の要素には、上記実施形態と同一の符号を付しており、適宜説明を省略する。
【００４３】
本実施形態のペット用排泄物処理具Ａ２は、可動部材２が受皿１２に対してスライド移動可能に構成されており、かかる点において上記のペット用排泄物処理具Ａ１と大きく異なっている。
【００４４】
本実施形態においては、受皿１２のうち可動部材２が重合し、当該可動部材２を支持するための部分（支持部１２１）は、平面状とされている。支持部１２１の周縁には段部１２２が形成されており、支持部１２１は、段部１２２を境界として周囲よりも凹んでいる。支持部１２１には、複数の貫通孔１２３が形成されている。図１６に表れているように、これら貫通孔１２３は、それぞれが略矩形状とされており、所定間隔を隔てて配列されている。受皿１２の適所には、複数の係止片１２６が設けられている。係止片１２６は、平面視においての支持部１２１の周縁付近と重なっている。
【００４５】
可動部材２は、受皿１２（支持部１２１）に重合しており、当該受皿１２に対して相対移動する部材である。本実施形態において、図１５、図１７に表れているように、可動部材２は、外形形状が略矩形状であり、かつ略均一な厚みを有する平板状である。可動部材２は、複数の貫通孔２２を有する。
【００４６】
複数の貫通孔２２は、それぞれが略矩形状とされており、所定間隔を隔てて配列されている。本実施形態において、図１６、図１７を参照すると理解できるように、各貫通孔２２のサイズおよび貫通孔２２の配列ピッチは、受皿１２の支持部１２１に設けられた各貫通孔１２３のサイズおよび貫通孔１２３の配列ピッチと同一である。
【００４７】
図１３に示すように、可動部材２が受皿１２（支持部１２１）に重合した状態において、可動部材２は、段部１２２にガイドされつつ矢印Ｎの方向に沿ってスライド移動可能である。また、図１３、図１５から理解できるように、可動部材２の幅方向の両端は部分的に係止片１２６に覆われており、可動部材２の受皿１２からの離脱が防止される。係止片１２６による係止構造は、本発明でいう離脱防止手段を担う。なお、可動部材２の受皿１２への装着は、可動部材２を、その幅方向寸法が小さくなるように撓ませることにより行う。
【００４８】
図１３に表れているように、本実施形態のペット用排泄物処理具Ａ２においては、受皿１２における複数の貫通孔１２３、および可動部材２における複数の貫通孔２２が連通する領域によって、複数の篩い孔３が構成されている。そして、図１３、図１８を参照して以下に説明するように、受皿１２に対する可動部材２の相対位置を変更することにより、篩い孔３のサイズが変更可能となっている。
【００４９】
図１３に示した状態において、可動部材２の貫通孔２２は、受皿１２の貫通孔１２３に対して半ピッチずれた位置にある。これにより、隣接する貫通孔２２の間の枠部分２４が、受皿１２の貫通孔１２３の中央を横切っている。これにより、篩い孔３の寸法（図中矢印Ｎの方向の寸法）は、貫通孔１２３，２２それぞれの矢印Ｎの方向の寸法よりも小である。
【００５０】
図１８は、図１３に示した状態から可動部材２を矢印Ｎ１の方向にスライド移動させた状態を示している。図１８に示した状態において、貫通孔２２は貫通孔１２３とほぼ完全に重なる状態にあり、篩い孔３は、貫通１２３，２２それぞれと同等のサイズを有する。
【００５１】
ペット用排泄物処理具Ａ２においては、受皿１２における複数の貫通孔１２３、および可動部材２における複数の貫通孔２２が連通する領域によって、複数の篩い孔３が構成されている。そして、図１３、図１８を参照して上述したように、受皿１２に対する可動部材２の相対位置を変更することにより、篩い孔３のサイズが変更可能である。このような構成によれば、異なる猫砂、たとえば使用する猫砂の種類を変更する場合において、変更後の猫砂のサイズに応じた篩い孔３のサイズとなるように可動部材２の相対位置を変更すれば、変更後の猫砂についても篩い分けることができる。したがって、ペット用排泄物処理具Ａ２によれば、サイズの異なる複数種の猫砂（処理材）について兼用することができる。
【００５２】
以上、本発明の具体的な実施形態を説明したが、本発明はこれに限定されるものではなく、発明の思想から逸脱しない範囲内で種々な変更が可能である。本発明に係るペット用排泄物処理具の各部の具体的な構成は、種々に設計変更自在である。
【符号の説明】
【００５３】
Ａ１，Ａ２  ペット用排泄物処理具
１          スコップ本体
１１        把持部
１１１      基端部
１２        受皿
１２１      支持部
１２２      段部
１２３      貫通孔（第１の貫通孔）
１２４      軸孔
１２５      凸部（移動抑制手段）
１２６      係止片（離脱防止手段）
１２７      孔
２          可動部材
２１        回転軸
２１１      係止片（離脱防止手段）
２２        貫通孔（第２の貫通孔）
２３        凹部（移動抑制手段）
２４        枠部分
３          篩い孔
【図１】
0006543497.tif 000002
【図２】
0006543497.tif 000003
【図３】
0006543497.tif 000004
【図４】
0006543497.tif 000005
【図５】
0006543497.tif 000006
【図６】
0006543497.tif 000007
【図７】
0006543497.tif 000008
【図８】
0006543497.tif 000009
【図９】
0006543497.tif 000010
【図１０】
0006543497.tif 000011
【図１１】
0006543497.tif 000012
【図１２】
0006543497.tif 000013
【図１３】
0006543497.tif 000014
【図１４】
0006543497.tif 000015
【図１５】
0006543497.tif 000016
【図１６】
0006543497.tif 000017
【図１７】
0006543497.tif 000018
【図１８】
0006543497.tif 000019